(57)【要約】【課題】壁面と手摺りとの間の間隔部分の幅の変化に応じて、安定した状態で容易且つスムーズに壁面に取り付けることのできる容器保持具を提供する。【解決手段】容器保持具１０は、壁面１１に沿って配置される背面側壁部１４と、背面側壁部１４の上部から片持ち状に張り出して設けられて容器１３を保持する受け台１７と、受け台１７の底部材１８の下方に設けられ、背面側壁部１４の下端部を中心とした弧状の湾曲面に沿って楔片１９を連接配置してなるラチェット爪部２０と、背面側壁部１４の下端部に回転可能に連結されると共に、上端部にラチェット爪部２０の複数の楔片１９に選択的に係止される係止爪２１を有する板バネ状押え板２２とからなる。そして、手摺り１２と壁面１１との間の間隔部分２３に、背面側壁部１４及び板バネ状押え板２２を上方から挿入することにより、壁面１１に沿って取り付けられる。【選択図】      図２
2004161334.tif 000002
【特許請求の範囲】
【請求項１】
壁面に沿って当接するように配置される背面側壁部と、該背面側壁部の上部から片持ち状に張り出して設けられ、筒状部の上端開口から挿入配置される容器を保持する受け台と、該受け台の底部材の下方に設けられ、前記背面側壁部の下端部を中心とした弧状の湾曲面に沿って複数の楔片を連接配置してなるラチェット爪部と、下端部が前記背面側壁部の前記下端部に回転可能に連結されると共に、上端部に前記ラチェット爪部の複数の楔片に選択的に係止される係止爪を有する板バネ状押え板とからなる容器保持具。
【請求項２】
前記板バネ状押え板の上部前面側には、湾曲しつつ背面側に窪んだ窪み部が形成されている請求項１記載の容器保持具。
【請求項３】
前記背面側壁部の背面には、滑り止め片が取り付けられている請求項１又は２に記載の容器保持具。
【発明の詳細な説明】
【０００１】
【発明の属する技術分野】
本発明は容器保持具に関し、特に、病院、老人ホーム、一般住宅等に設けられた手摺りやタオル掛け等を前方支持部材として支持させて、消毒液、シャンプー液、リンス液等の液体を収容する容器を壁面に近接した位置に保持する容器保持具に関する。
【０００２】
【従来の技術及び発明が解決しようとする課題】
手摺りやタオル掛け等を前方支持部材として支持させて、消毒液、シャンプー液、リンス液等の液体を収納する容器を壁面に近接した位置に保持する容器保持具として、背面部と、この背面部の上部から片持ち状に張り出して設けられた容器を保持する受け台とからなる容器保持具が知られている（例えば、特許文献１、特許文献２参照）。これらの容器保持具によれば、病院、老人ホーム、一般住宅等における壁面に沿って背面部を当接させるように配置すると共に、壁面と間隔をおいて設けられた手摺りやタオル掛け等の前方支持部材に受け台の下方部分を支持させた状態で壁面に取り付けられ、受け台の筒状部の上端開口から容器の下端部分を挿入配置して、当該容器を壁面に近接した位置に保持する。
【０００３】
また、これらの容器保持具によれば、前方支持部材によって受け台が安定した状態で支持されるように、特許文献１の容器保持具では、受け台の下方部分に、背面部の下部から前方に突出して、上拡がり状となるように前端部にテーパーが形成された楔板部が設けられており、また特許文献２の容器保持具では、水平部の下方に手摺り等に当接させる傾斜金具が設けられると共に、この傾斜金具を前後方向に移動させて固定する締付けつまみが設けられている。
【０００４】
【特許文献１】
特許第２５０５３６９号公報
【特許文献２】
実用新案登録第２５９９９６９号公報
【０００５】
【発明が解決しようとする課題】
しかしながら、上記従来の容器保持具によれば、壁面と前方支持部材との間の間隔部分の幅が予め決められた所定の幅である場合には、安定した状態で当該容器保持具を壁面に容易且つスムーズに取り付けてゆくことが可能であるが、取り付け箇所よって間隔部分の幅が異なる場合には、例えば２０〜６０ｍｍ程度の広さに亘るこれらの間隔部分の幅の変化に対応させて、当該容器保持具を安定した状態で壁面に容易且つスムーズに取り付けてゆくことが困難である。
【０００６】
すなわち、背面部の下部から前方に突出させて、上拡がり状となるテーパーが形成された楔板部を設けた容器保持具によれば、壁面と前方支持部材との間の間隔部分の幅が狭すぎると、楔板部が設けられた背面部の下端部分が間隔部分に僅かしか挿入されなくなると共に、受け台が前方支持部材から高い位置に配置されることになって容器を保持した際に前方に傾きやすくなる。また壁面と前方支持部材との間の間隔部分の幅が拡すぎると、楔板部の先端部を支点として前方支持部材から支持されることになり、当該支点と背面部が当接する壁面との距離が長くなって、容器を保持した際に背面部が下方にずれて容器が後方に傾きやすくなる。
【０００７】
また、水平部の下方に傾斜金具を設け、この傾斜金具を前後方向に移動させて締付けつまみにより固定する容器保持具によれば、壁面に沿って背面部を当接させつつ水平部を前方支持部材に載置して、壁面と前方支持部材との間の間隔部分に背面部の下半部分を落し込んだ後に、締付けつまみをその都度前後に移動し、傾斜金具を前方支持部材に押し付けつつ締付ける作業を要することから、傾斜金具の固定に手間がかかって当該容器保持具をスムーズに取り付けてゆくことが困難である。
【０００８】
本発明は、壁面と前方支持部材との間の間隔部分の幅の変化に応じて、安定した状態で容易且つスムーズに壁面に取り付けてゆくことのできる容器保持具を提供することを目的とする。
【０００９】
【課題を解決するための手段】
本発明は、壁面に沿って当接するように配置される背面側壁部と、該背面側壁部の上部から片持ち状に張り出して設けられ、筒状部の上端開口から挿入配置される容器を保持する受け台と、該受け台の底部材の下方に設けられ、前記背面側壁部の下端部を中心とした弧状の湾曲面に沿って複数の楔片を連接配置してなるラチェット爪部と、下端部が前記背面側壁部の前記下端部に回転可能に連結されると共に、上端部に前記ラチェット爪部の複数の楔片に選択的に係止される係止爪を有する板バネ状押え板とからなり、手摺り、タオル掛け等の前方支持部材と前記壁面との間の間隔部分に、前記背面側壁部及び前記板バネ状押え板を上方から挿入して前記板バネ状押え板を前記前方支持部材に押え付けるように当接させることにより、前記壁面に沿って取り付けられる容器保持具を提供することにより、上記目的を達成したものである。
【００１０】
【発明の実施の形態】
本発明の好ましい一実施形態に係る容器保持具１０は、図１に示すように、例えば病院の病室の入り口近くの壁面１１に沿って水平方向に設けられた手摺り１２を前方支持部材として支持させて取り付けられ、例えば内容物として消毒液を収容した液体収容容器１３を壁面１１に近接した位置に保持し、例えば病室に入室した医師や看護婦、見舞い客等が手を速やかに消毒できるようにして、病室の患者に衛生的に接することができるようにするものである。
【００１１】
そして、本実施形態の容器保持具１０は、図２及び図３にも示すように、壁面１１に沿って当接するように配置される背面側壁部１４と、この背面側壁部１４の上部から片持ち状に張り出して設けられ、筒状部１５の上端開口１６から挿入配置される液体収容容器１３を保持する受け台１７と、この受け台１７の底部材１８の下方に設けられ、背面側壁部１４の下端部を中心とした弧状の湾曲面に沿って複数の楔片１９を連接配置してなるラチェット爪部２０と、下端部が背面側壁部１４の下端部に回転可能にヒンジ連結されると共に、上端部にラチェット爪部２０の複数の楔片１９に選択的に係止される係止爪２１を有する板バネ状押え板２２とによって構成されている。
【００１２】
また、本実施形態の容器保持具１０は、壁面１１の前方に配置される前方支持部材としての手摺り１２と、当該壁面１１との間の間隔部分２３に、背面側壁部１４及び板バネ状押え板２２を上方から挿入して、板バネ状押え板２２の前面を手摺り１２に押え付けるように当接させることにより、壁面１１に沿って取り付けられることになる。
【００１３】
なお、本実施形態よれば、筒状部１５の側面部２４の左右何れかの上端縁部に差し込み片２５ａを差し込むことにより、トレー２６が受け台１７の筒状部１５の側方に張り出して設けられる。図１に示すようにトレー２６を筒状部１５より幅広のものとする場合には、筒状部１５の側面部２４の左右何れかの上端縁部にトレー２６の差込み片２５ａを差し込む際に、当該差込み片２５ａに加えて選択的に使用される一方の補助差し込み片２５ｂを上端縁部に差し込むことにより、トレー２６を受け台１７の筒状部１５の側方により安定した張り出し状態で設けることが可能になる。これによって、トレー２６は、受け台１７に保持された液体収容容器１３のノズル部２８の先端部下方に筒状部１５よりも大きな相当の広さで配置されて、ノズル部２８から消毒液を吐出させて手の消毒を行なう際に、手の外側へ飛び散った消毒液や使用直後においてノズル部２８からしたたる消毒液を容易に受けることができるようになっている。
【００１４】
すなわち、本実施形態によれば、液体収容容器１３の口首部に装着されるポンプ式の液体取り出し部材２７は、そのノズル部２８を受け台１７から側方に突出配置して取り付けられるものであり、従ってトレー２６は、ノズル部２８の先端吐出口の下方に位置するように配設されることになる。なお、差し込み片２５ａの両側に補助差し込み片２５ｂを設けて、差し込み片２５ａと共にいずれか一方の補助差し込み片２５ｂを筒状部１５の上端縁部に係止することによって、上述のように、より安定した状態でトレー２６を取り付けることが可能になる。
【００１５】
また、本実施形態によれば、背面側壁部１４、受け台１７、及びラチェット爪部２０は、合成樹脂を用いて一体成形されると共に、板バネ状押え板２２は、これらとは別部材として、合成樹脂を用いて着脱可能な形状に成形されることになる。
【００１６】
そして、本実施形態の容器保持具１０を構成する背面側壁部１４は、図４にも示すように、背面側から視た場合に全体として倒立させた縦長等脚台形形状を有しており、その上部１／３程度の部分及びこれより下方における両側の帯状箱形部分２９を除く部分が平板状の背面板３０によって形成されている。また背面側壁部１４の下部２／３程度の部分の両側の帯状箱形部分２９は、コの字状の断面形状で前方に突出する中空立体形状の補強部３１を形成しており、これによって背面側壁部１４は、強固な立体構造となると共に、視覚的にも安定した外観形状を備えることになる。
【００１７】
また、背面側壁部１４の背面板３０の上部１／３程度の部分は、受け台１７の筒状部１５の背面部３２を兼ねるようになっており、また背面板３０の下端部には、扁平な横倒しコの字形状の開口窓３３が両側の帯状箱形部分２９に跨って開口形成されている（図３参照）。この開口窓３３には、板バネ状押え板２２を装着する際に当該板バネ状押え板２２が背面側から挿通されると共に、この開口窓３３は、両側の帯状箱形部分２９の下端部内側面に切り欠き形成された回転軸係止切欠３４と連続しており、この回転軸係止切欠３４には板バネ状押え板２２の下端部の円柱軸３５の両端が係止されることになる。また円柱軸３５は、開口窓３３の下半部に食い込んで設けられた扁平な舌状片３６と、両側の帯状箱形部分２９の前面板との間の間隔部分に挟み込まれるようにして、その両端が回転軸係止切欠３４に係止され、これによって装着された板バネ状押え板２２の下端部を、背面側壁部１４の下端部に回転可能にヒンジ連結している。
【００１８】
さらに、背面側壁部１４の背面板３０の背面には、例えばゴムからなる円形の滑り止め片３８が、上部、中部、下部に略均等に振り分けられると共に、左右対称に配置されて６箇所に取り付けられている。背面板３０の背面に滑り止め片３８が取り付けられていることにより、当該容器保持具１０を壁面１１に沿って取り付けた際に、壁面１１に当接するように配置される背面側壁部１４がずれるのを効果的に回避して、より安定した状態で容器保持具１０を設置することが可能になる。なお、本実施形態によれば、例えば帯状箱形部分２９による補強部３１や、背面板３０にビス取付け孔３９を形成しておくこともでき、当該ビス取付け孔３９にビスを打ち込むことにより、容器保持具１０を手摺り１２に支持させることなく壁面１１に直接固定して使用することもできるようになっている。
【００１９】
本実施形態の容器保持具１０を構成する受け台１７は、背面側壁部１４の上部から片持ち状に張り出して設けられ、背面部３２と一対の側面部２４と前面部４０とからなる筒状部２５と、筒状部２５の下部に配置されて受け台１７に保持される液体収容容器１３を下方から支持する底部材１８とからなる。
【００２０】
筒状部２５は、背面部３２、側面部２４、及び前面部４０を略矩形の平面形状となるように配置して、液体収容容器１３の下半部分を収容する箱形空間を形成している。また、側面部２４の上部は、側方に拡がった段差部４１となっており、この段差部４１によって、液体収容容器１３が受け台１７に保持されている状態においても、液体収容容器１３の側面と、側面部２４の上端縁部との間に、トレー２６の差し込み片２５ａ，２５ｂを差し込むための隙間を確保することができるようになっている。
【００２１】
底部材１８は、図５にも示すように、下辺部が湾曲形状に切りかかれた略直角台形形状の一対の梁板４２を、側面部２４と平行に延設させつつ筒状部２５の中央部分を横断するようにして、背面部３２と前面部４０との間に架設することによって設けられる。一対の梁板４２は、間隔をおいて平行に配置されることにより、これらの間隔部分に、後述する板バネ状押え板２２の上端つまみ部４３を配置することができるようになっている。そして、底部材１８を構成する一対の梁板４２の湾曲形状に切りかかれた下辺部には、受け台１７の底部材１８の下方に設けられるラチェット爪部２０が形成されることになる。
【００２２】
本実施形態の容器保持具１０を構成するラチェット爪部２０は、底部材１８の一対の梁板４２の湾曲形状に切り欠かれた下辺部に沿って、三角形状の複数の楔片１９を鋸刃形状に連接配置することによって形成される。また各梁板４２の下辺部の湾曲形状は、背面側壁部１４の下端部に形成された回転軸係止切欠３４を中心とした弧状の湾曲面に沿って形成されており、これによって複数の楔片１７は、当該湾曲面に沿って連接配置されることになる。
【００２３】
本実施形態の容器保持具１０を構成する板バネ状押え板２２は、上記一対の梁板４２に跨る幅を有する帯板状に形成された板バネ部材であって、長さ方向の曲げ応力を加えた際に、湾曲しつつ容易に変形可能な適度の弾性を備えている共に、曲げ応力を解除した際に、速やかに元の形状に復帰可能な適度の復元性を備えている。板バネ状押え板２２は、回転軸係止切欠３４を中心とした弧状の湾曲面の回転半径に相当する長さを有しており、その下辺部には、上述のように背面側壁部１４の下端部に回転可能にヒンジ連結される円柱軸３５が設けられていると共に、その上辺部には、ラチェット爪部２０の複数の楔片１９に選択的に係止される係止爪２１が設けられている。また一対の梁板４２のラチェット爪部２０に係止される両端部分に挟まれる係止爪２１の中央部分から上方に突出配置されて、上端つまみ部４３が設けられている。上端つまみ部４３は、一対の梁板４２の間に配設され、筒状部２５の上方からの操作によって、当該上端つまみ部４３をつまみながら、係止爪２１をラチェット爪部２０に沿って所望の位置に移動させることができるようになっている。
【００２４】
また、本実施形態によれば、板バネ状押え板２２の上部前面側には、湾曲しつつ背面側に窪んだ窪み部４４が形成されている。板バネ状押え板２２の上部前面側に窪み部４４が形成されていることにより、例えば円柱形状の手摺り１２に板バネ状押え板２２を押え付けるように当接させる際に、当該窪み部４４を介することにより手摺り１２への納まりを良くして、当該容器保持具１０をさらに安定した状態で壁面１１に沿って取り付けることが可能になる。
【００２５】
そして、上述の構成を有する本実施形態の容器保持具１０は、手摺り１２と壁面１１との間の間隔部分２３に、背面側壁部１４及び板バネ状押え板２２を上方から挿入することにより壁面１１に沿って取り付けられることになるが、本実施形態によれば、壁面１１と手摺り１２との間の間隔部分２３の幅が取り付け箇所によって変化する場合でも、当該変化に応じて、安定した状態で容器保持具１０を壁面１１に容易且つスムーズに設置してゆくことが可能になる。
【００２６】
すなわち、本実施形態によれば、受け台１７の底部材１８の下方にラチェット爪部２０が設けられており、図２に示すように、下端部が回転可能に連結された板バネ状押え板２２の上端部の係止爪２１をラチェット爪部２０の複数の楔片１９に選択的に係止することによって、壁面１１と手摺り１２との間の間隔部分２３に挿入される部分の背面側壁部１４及び板バネ状押え板２２の幅を容易且つスムースに調整することが可能である。したがって、例えば上端つまみ部４３を介した操作や板バネ状押え板２２に直接曲げ応力を加える操作を介して係止爪２１をラチェット爪部２０に沿って適宜の位置に容易に移動させて、壁面１１と手摺り１２との間の間隔部分２３の変化に応じてこれに挿入される背面側壁部１４及び板バネ状押え板２２の幅を調整することにより、受け台１７の手摺り１２からの高さを殆ど変化させることなく容器保持具１０を壁面１１に沿って取り付けることが可能になり、これによって安定した状態で容器保持具１０を設置することが可能になる。
【００２７】
なお、本発明は上記各実施形態に限定されることなく種々の変更が可能である。例えば、受け台の筒状部は略矩形の平面形状を備えている必要は必ずしもなく、円形等のその他の平面形状を有していて、矩形以外の断面形状を有する容器を保持するものであっても良い。また、受け台は、液体収容容器以外の容器や、その他の家庭用品等を保持するものであっても良い。さらに、病院の病室以外にも、老人ホーム、一般住宅等のその他の建物の壁面に沿って取り付けることができる。さらにまた、前方支持部材は、手摺りである必要は必ずしもなく、タオル掛けや、壁面から間隔を置いて配置された補助壁等のその他の前方支持部材であって良く、円形断面の他、角形断面等を備えるものであっても良い。また、ラチェット爪部が下方に設けられる受け台の底部材は、間隔をおいて配置された梁板によって構成されるものである必要は必ずしもない。
【００２８】
また、板バネ状押え板は、上記実施形態に用いた板バネ状押え板２２に限定されることなくその他の種々の態様のものを用いることができ、例えば図６に示す板バネ状押え板６０を採用することもできる。図５の板バネ状押え板２２とは表裏逆にして図６に示す板バネ状押え板６０によれば、上辺部の係止爪６１を複数の補強リブ６２によって補強し、係止爪６１の強度を高めて当該係止爪６１が割れにくくなるようにしている。また係止爪６１の、ラチェット爪部２０（図５参照）に係止される両端部分に挟まれる中央部分には、円弧状に窪んだ指掛け凹部６３が形成されており、この指掛け凹部６３に指を係止しつつ筒状部２５の上方或いは下方からの操作することによって、指に痛みを感じないようにしつつ係止爪６１をラチェット爪部２０に沿って容易に移動させることが可能になる。
【００２９】
【発明の効果】
本発明の容器保持具によれば、壁面と前方支持部材との間の間隔部分の幅の変化に応じて、安定した状態で容易且つスムーズに壁面に取り付けてゆくことができる。
【図面の簡単な説明】
【図１】本発明の一実施形態に係る容器保持具を壁面に沿って取り付けた状況を説明する斜視図である。
【図２】本発明の一実施形態に係る容器保持具の構成を説明する断面図である。
【図３】本発明の一実施形態に係る容器保持具の構成を説明する分解斜視図である。
【図４】本発明の一実施形態に係る容器保持具の背面図である。
【図５】ラチェット爪部及び板バネ状押え板の構成を説明する透視斜視図である。
【図６】板バネ状押え板の他の実施態様を例示する斜視図である。
【符号の説明】
１０  容器保持具
１１  壁面
１２  手摺り（前方支持部材）
１３  液体収容容器
１４  背面側壁部
１５  筒状部
１６  筒状部の上端開口
１７  受け台
１８  底部材
１９  楔片
２０  ラチェット爪部
２１，６１  板バネ状押え板の係止爪
２２，６０  板バネ状押え板
２３  壁面と前方支持部材との間の間隔部分
２９  帯状箱形部分
３０  背面板
３３  開口窓
３４  回転軸係止切欠
３５  円柱軸
３６  舌状片
３８  滑り止め片
４２  梁板（底部材）
４３  上端つまみ部
４４  窪み部
６２  補強リブ
６３  指掛け凹部
【図１】
2004161334.tif 000003
【図２】
2004161334.tif 000004
【図３】
2004161334.tif 000005
【図４】
2004161334.tif 000006
【図５】
2004161334.tif 000007
【図６】
2004161334.tif 000008